(57)【要約】      （修正有）【課題】異なる用途にも使用でき、不使用時はコンパクトに折り畳んで収納できる折り畳み型ペットキャリー装置を提供する。【解決手段】裏板と、底板と、前面板と、頂面部と、２つの側板とを備える折り畳み型ペットキャリー装置であって、裏板の内面に設けられ、伸縮ロッド及び伸縮ロッドの上端にハンドル部を含み、頂面部の外側に伸長又は頂面部の下方に隠蔽できるドローバー装置２０と、底板の底面に設けられる複数のホイール３０と、裏板の両側に設けられる２つのサスペンダーとを含み、２つの側板は折り曲げ可能に裏板の２つの側辺に接続され、底板は折り曲げ可能に底板の底側辺に接続され、２つの側板の端縁と底板、前面板、及び頂面部の２つの側辺との間にそれぞれ接続部材１４３（ファスナー）が設けられ、接続部材が引かれた離間状態において、２つの側板、底板、頂面部及び前面板を裏板に折り畳むことができる。【選択図】図１
0003219943.tif 000002
【実用新案登録請求の範囲】
【請求項１】
裏板と、底板と、前面板と、頂面部と、２つの側板を備え、前記裏板、前記底板、前記前面板、前記頂面部、及び２つの前記側板に共同で囲まれて収容スペースを形成する折り畳み型ペットキャリー装置であって、
２つの前記側板は前記裏板における対向する２つの側辺に接続され、２つの前記側板は前記接続部の位置から折り曲げ可能であるように、２つの前記側板と前記裏板における２つの側辺との間が折り曲げ可能な接続部により接続され、
前記底板は、折り曲げ可能に前記裏板の底端に接続され、
前記前面板と前記頂面部は折畳可能であるように、可撓性を有するクロス又は板シート材によって形成され、
２つの前記側板の端縁と前記底板、前記前面板、及び前記頂面部の２つの側辺との間にそれぞれファスナー接続部材が設けられ、利用者の取り扱いによって２つの前記接続部材を閉鎖状態又は開放状態とすることができ、２つの前記接続部材が密に閉鎖状態になる場合、２つの前記接続部材によって２つの前記側板の端縁と前記底板、前記前面板、及び前記頂面部の２つの側辺を互いに接続でき、
２つの前記接続部材が開放状態になる場合、２つの前記側板の端縁と前記底板、前記前面板、及び前記頂面部の２つの側辺が離間し、前記折り畳み型ペットキャリー装置を収納状態とするように、２つの前記側板と前記底板、前記頂面部、及び前記前面板を前記裏板に畳むことができることを特徴とする、折り畳み型ペットキャリー装置。
【請求項２】
２つの前記接続部材はファスナーであることを特徴とする、請求項１に記載の折り畳み型ペットキャリー装置。
【請求項３】
前記底板は、固定端と自由端を有し、前記底板の固定端は前記裏板の底端に接続され、前記底板の自由端は前記固定端における前記裏板と反対側の側辺に接続され、前記底板の固定端と自由端の接続処に区画線が形成され、前記区画線位置で前記底板の前記自由端と固定端を対向に折り曲げることができることを特徴とする、請求項２に記載の折り畳み型ペットキャリー装置。
【請求項４】
前記裏板の内面に設けられ、伸縮ロッド及び伸縮ロッドの上端に設けられるハンドル部を含み、前記伸縮ロッドが前記裏板と平行にして前記裏板の内面に設けられ、前記伸縮ロッドが前記裏板に平行である方向に伸縮でき、前記伸縮ロッドが短縮状態である場合、前記伸縮ロッドの上端及び前記ハンドル部はその高さが前記頂面部の高さより短く前記頂面部の下方に隠され、前記伸縮ロッドが伸長状態である場合、前記伸縮ロッドの上端及び前記ハンドル部が前記頂面部の外側に伸長できるドローバー装置と、
前記底板の底面に設けられ、床面に接触することによって前記折り畳み型ペットキャリー装置が床面上を滑動することができる複数のホイールと、
その上端が前記裏板の上側辺に接続され、その下端にそれぞれサスペンダーフックが設けられる２つのサスペンダーであって、前記裏板の外側面における前記裏板下端に近づく両側位置に２つのサスペンダーリングがそれぞれ設けられ、２つの前記サスペンダーの下端を前記裏板の下端に近づく両側位置に接続するように、２つの前記サスペンダーフックをそれぞれ２つの前記サスペンダーリングに互いに接続できる２つのサスペンダーと、
を更に含むことを特徴とする、請求項３に記載の折り畳み型ペットキャリー装置。
【請求項５】
前記裏板の外側面にサンドイッチ層部が設けられ、前記サンドイッチ層部が前記裏板の外側面に貼り付け、前記サンドイッチ層部の上側辺と前記裏板との間にサンドイッチ層開口が形成され、２つの前記サスペンダーの下端をそれぞれ前記サンドイッチ層開口から前記サンドイッチ層部と前記裏板外側面との間のギャップに挿入できることを特徴とする、請求項４に記載の折り畳み型ペットキャリー装置。
【請求項６】
前記裏板の内面に裏板パッキンが設けられ、前記底板の内面に底板パッキンが更に設けられ、前記ドローバー装置が前記裏板パッキンと前記裏板内面との間のギャップに収容されることを特徴とする、請求項５に記載の折り畳み型ペットキャリー装置。
【請求項７】
前記頂面部における前記ドローバー装置の上方に対応する位置に遮蔽シート及び開口部が設けられ、前記遮蔽シートが選択的に前記開口部をカバーし、前記遮蔽シートをめくり上げて前記開口部を開放状態とし、
前記ドローバー装置の前記伸縮ロッドが前記短縮状態になる場合、前記遮蔽シートは、前記ドローバー装置を前記遮蔽シートの下方に隠すように、前記開口部をカバーでき、前記遮蔽シートをめくり上げて前記開口部を開放状態とする場合、前記伸縮ロッド及び前記ハンドル部は、前記開口部から前記頂面部の外側に伸長できることを特徴とする、請求項６に記載の折り畳み型ペットキャリー装置。
【請求項８】
折り畳み可能なフレーム、前記フレームに設けられる複数のカーホイール、及び前記フレームに設けられる水平枠を有するカーであって、前記裏板を前記水平枠に合わせることによって前記折り畳み型ペットキャリー装置を前記カーにセットできるカーを更に含むことを特徴とする、請求項５に記載の折り畳み型ペットキャリー装置。
【請求項９】
前記水平枠は２つの側ロッドを有し、前記裏板における２つの側辺の幅は２つの前記側ロッドのピッチ以上であり、
前記裏板の２つの側辺における２つの前記側ロッドに対応する位置にそれぞれホルダーシートが設けられ、前記折り畳み型ペットキャリー装置を前記水平枠にセットする場合、２つの前記ホルダーシートは、前記折り畳み型ペットキャリー装置を前記水平枠に固定するように、それぞれ２つの前記側ロッドを覆うことができることを特徴とする、請求項８に記載の折り畳み型ペットキャリー装置。
【請求項１０】
２つの前記ホルダーシートは可撓性のシート状材料により作成され、２つの前記ホルダーシートの一端が前記裏板の２つの側辺に接続され、２つの前記ホルダーシートの前記裏板と反対側の自由端はそれぞれ２つのホルダーシートファスニング部によって前記裏板の外側面に結合できることを特徴とする、請求項９に記載の折り畳み型ペットキャリー装置。
【請求項１１】
前記裏板を自動車シートの座布団に合わせることによって前記折り畳み型ペットキャリー装置を前記自動車シートにセットでき、前記折り畳み型ペットキャリー装置を前記自動車シートに位置決めするように、安全シート接続ベルトによって前記自動車シートの安全シートスナップリングに接続し、
前記安全シート接続ベルトは接続ベルトを含み、前記接続ベルトの一端が接続ベルトリングに接続され、前記接続ベルトリングによって前記底板外側面に設けられる底部スナップリングに接続され、前記接続ベルトにおける前記接続ベルトリングと反対側の一端が２つの分岐ベルトに接続され、２つの前記分岐ベルトにおける前記接続ベルトと反対側の一端がそれぞれフック部材に接続され、２つの前記フック部材によって前記安全シートスナップリングに接続できることを特徴とする、請求項５に記載の折り畳み型ペットキャリー装置。
【請求項１２】
サンドイッチ層部における前記裏板の下の側辺に近づく位置にサンドイッチ層縫い目が設けられ、
前記サンドイッチ層部内に汚れ防止シートが収容され、前記汚れ防止シートの固定端が前記裏板に接続され、前記汚れ防止シートの自由端は前記サンドイッチ層縫い目から伸長して前記底板及び複数の前記ホイールの外側面を覆うことができ、前記汚れ防止シートの自由端は汚れ防止シートファスニング部によって前記底板の外側面に結合できることを特徴とする、請求項１１に記載の折り畳み型ペットキャリー装置。
【考案の詳細な説明】
【技術分野】
【０００１】
本考案は、折り畳み型ペットキャリー装置に関し、特に、ペットをキャリーして外出し又は交通機関に搭乗する場合に利用できる折り畳み型ペットキャリー装置に関する。
【背景技術】
【０００２】
ペットの持ち主がペットをキャリーして外出し又は交通機関に搭乗する場合、常にペットキャリーカゴ又はペットカーを用いてペットを搭載する。
【０００３】
しかしながら、従来のペットキャリーカゴ又はペットカーは、単一の機能のみを有するものである場合が多い。例えば、ペットキャリーカゴは、大きく手持ち式又は背負式のキャリーカゴに分けられ、手持ち式のキャリーカゴは、手で持つ以外ではキャリーできず、背負式のキャリーカゴは、利用者の背で負うしかできない。いずれのペットキャリーカゴも、床面を押し動かすことはできず、人力でキャリーしなければならないため、利用者の体力に負担を掛ける。
【０００４】
なお、ペットカーは、手で持ち又は背で負うことができず、床面を押し動かすことしかできないが、ペットカーでのキャリーカゴは、常にカーと一体に結合され、単独で使用することはできないため、交通機関を搭乗する場合、ペットカーを交通機関に持ち込むことは常にはできない。また、部屋内のスペースが狭い場合、ペットカーの持ち入れも難しい。
【０００５】
従来のペットキャリーカゴ及びペットカーの構造及び機能上の制限のため、ペットの持ち主は、異なる種別のキャリーカゴ及びカーを準備しなければならないため、使用には不便が生じるだけでなく、ペット持ち主の経済的な負担も増加する。
【０００６】
その他、従来のペットキャリーカゴは、固定された構成を採用しており折り畳めないものが多いため、使用しない時にかなりのスペースを占め、また、その輸送も極めて不便であるから、ペット持ち主にとってはキャリーし難く、メーカーによる販売・輸送過程においてもかなり大きいスペースを占めていた。
【０００７】
以上の理由で、従来の折り畳み型ペットキャリー装置は、使用上で多種の欠点がある。そのため、どのように構成設計の改良によって上記した問題を解決するかは、当分野において解決すべき重要な課題の１つになっている。
【考案の概要】
【考案が解決しようとする課題】
【０００８】
本考案の主な目的は、従来のペットキャリーカゴ又はペットカー等のタイプのキャリー装置がただ単一の機能を有し、異なる用途に好適でなく、使用しない時に折り畳めずスペースを占めるという欠点を解決することにある。
【課題を解決するための手段】
【０００９】
本考案の実施例においては、裏板と、底板と、前面板と、頂面部と、２つの側板とを備え、上記裏板、上記底板、上記前面板、上記頂面部及び２つの上記側板に共同で囲まれて収容スペースを形成する折り畳み型ペットキャリー装置であって、２つの上記側板が上記裏板における対向する２つの側辺に接続され、２つの上記側板が上記接続部の位置から折り曲げ可能になるように、２つの上記側板と上記裏板の２つの側辺との間が折り曲げ可能な接続部によって接続され、上記底板は折り曲げ可能に上記裏板の底端に接続され、上記前面板と上記頂面部は折り畳み可能になるように、可撓性を有するクロス又は板シート材により形成され、２つの上記側板の端縁と上記底板、上記前面板、及び上記頂面部の２つの側辺との間にそれぞれ接続部材が設けられ、利用者の取り扱いによって２つの上記接続部材を閉鎖状態又は開放状態とすることができ、２つの上記接続部材が密に閉鎖状態になる場合、２つの上記接続部材によって２つの上記側板の端縁と上記底板、上記前面板、及び上記頂面部の２つの側辺を互いに接続でき、上記接続部材が開放状態になる場合、２つの上記側板の端縁と上記底板、上記前面板、及び上記頂面部の２つの側辺が離間し、上記折り畳み型ペットキャリー装置を収納状態とするように、２つの上記側板、上記底板、上記頂面部、及び上記前面板を上記裏板に畳むことができる折り畳み型ペットキャリー装置を提供する。
【００１０】
本考案の好ましい実施例において、上記裏板の内面に設けられ、伸縮ロッド及び伸縮ロッドの上端に設けられるハンドル部を含み、上記伸縮ロッドが上記裏板と平行にして上記裏板の内面に設けられ、上記伸縮ロッドが上記裏板に平行である方向に伸縮でき、上記伸縮ロッドが短縮状態である場合、上記伸縮ロッドの上端及び上記ハンドル部はその高さが上記頂面部の高さより短くて上記頂面部の下方に隠蔽され、上記伸縮ロッドが伸長状態である場合、上記伸縮ロッドの上端及び上記ハンドル部が上記頂面部の外側に伸長できるドローバー装置と、上記底板の底面に設けられ、床面に接触することによって上記折り畳み型ペットキャリー装置が床面上を滑動することができる複数のホイールと、その上端が上記裏板の上側辺に接続され、その下端にそれぞれサスペンダーフックが設けられる２つのサスペンダーであって、２つのサスペンダーリングがそれぞれ上記裏板の外側面における上記裏板の下側辺に近づく両側位置に設けられ、２つの上記サスペンダーの下端を上記裏板の下側辺に近づく両側位置に接続するように、２つの上記サスペンダーフックをそれぞれ２つの上記サスペンダーリングに互いに接続できる２つのサスペンダーとを更に含む。
【００１１】
本考案の好ましい実施例において、上記裏板の外側面にサンドイッチ層部が設けられ、上記サンドイッチ層部が上記裏板の外側面に寄り、上記サンドイッチ層部の上側辺と上記裏板との間にサンドイッチ層開口が形成され、２つの上記サスペンダーの下端をそれぞれ上記サンドイッチ層開口から上記サンドイッチ層部と上記裏板外側面との間のギャップに挿入できる。
【００１２】
本考案の好ましい実施例において、折り畳み可能なフレーム、上記フレームに設けられる複数のカーホイール、及び上記フレームに設けられる水平枠を含むカーであって、上記裏板を上記水平枠に合わせることによって上記折り畳み型ペットキャリー装置を上記カーにセットできるカーを更に含む。
【００１３】
本考案の好ましい実施例において、上記裏板を自動車シートの座布団に合わせることによって上記折り畳み型ペットキャリー装置を上記自動車シートにセットでき、上記折り畳み型ペットキャリー装置を上記自動車シートに位置決めするように、上記折り畳み型ペットキャリー装置を接続部材によって上記自動車シートの安全シートスナップリングに接続でき、上記接続部材が接続ベルトを含み、上記接続ベルトの一端が接続ベルトリングに接続され、上記接続ベルトリングによって上記底板の外側面に設けられる底部スナップリングに接続され、上記接続ベルトにおける上記接続ベルトリングと反対側の一端が２つの分岐ベルトに接続され、２つの上記分岐ベルトにおける上記接続ベルトと反対側の一端がそれぞれフック部材に接続され、２つの上記フック部材によって上記安全シートスナップリングに接続できる。
【００１４】
本考案の特徴及び技術内容がより一層判るように、以下に本考案に関する詳細な説明と添付図面を参照するが、これらの説明と添付図面は本考案を説明するためのものに過ぎず、本考案の保護範囲を何ら限定するものではない。
【図面の簡単な説明】
【００１５】
【図１】本考案に係る折り畳み型ペットキャリー装置の斜面図である。
【図２】本考案に係る折り畳み型ペットキャリー装置の裏面から見る斜面図である。
【図３】本考案に係る折り畳み型ペットキャリー装置の側断面図である。
【図４】本考案に係る折り畳み型ペットキャリー装置を収納状態に折り畳む一連の動作の模式図である。
【図５】本考案に係る折り畳み型ペットキャリー装置を収納状態に折り畳む一連の動作の模式図である。
【図６】本考案に係る折り畳み型ペットキャリー装置を収納状態に折り畳む一連の動作の模式図である。
【図７】本考案に係る折り畳み型ペットキャリー装置のホルダーシート及び汚れ防止シートを取り出す状態での裏面から見る斜面図。
【図８】本考案に係る折り畳み型ペットキャリー装置を背負モードで使用する状態での斜面図である。
【図９】本考案に係る折り畳み型ペットキャリー装置を押しモードで使用する状態での斜面図である。
【図１０】本考案に係る折り畳み型ペットキャリー装置及びそれと結合して使用されるカーの斜面分解図である。
【図１１】本考案に係る折り畳み型ペットキャリー装置をカーモード状態でカーに組み込む状態での斜面組込図である。
【図１２】本考案に係る折り畳み型ペットキャリー装置による折り畳み型ペットキャリー装置を車内モードで底面から見る一部拡大斜面図である。
【図１３】本考案に係る折り畳み型ペットキャリー装置による折り畳み型ペットキャリー装置を車内モードで自動車シートに固定して使用する状態模式図である。
【考案を実施するための形態】
【００１６】
本考案は、折り畳み型ペットキャリー装置１０を提供し、図１〜図３に示すように、本考案に係る折り畳み型ペットキャリー装置１０は、主に、裏板１１と、底板１２と、２つの側板１４と、前面板１３と、頂面部１５とを備える。
【００１７】
その中、上記裏板１１と上記底板１２は、概略的に矩形を呈する板体により構成され、図１に示すような使用状態では、上記裏板１１と底板１２は互いに垂直し、２つの上記側板１４は互いに平行し、また、２つの上記側板１４の端縁が、上記裏板１１、上記底板１２、上記頂面部１５及び前面板１３の２つの側辺に接続されるため、上記裏板１１、底板１２、２つの側板１４、前面板１３、及び頂面部１５に共同で囲まれてペット籠のようなボックス型構成が形成される。
【００１８】
上記前面板１３には複数の通気ネット１３１が設けられ、上記通気ネット１３１毎は、１つの側辺の端縁が縫い目により前面板１３に接続され、それ以外の３つの側辺が、ファスナー又は他の等価な接続部材により前面板１３に接続され、これによって、それぞれの通気ネット１３１は、開放可能に前面板１３の板に設けられ、利用者は、選択的に通気ネット１３１によって前面板１３を覆ってもよいし、ペットが外に出たり又は頭を突き出すことができるように、通気ネット１３１をめくり上げてもよい。前面板１３は、その中の１つの通気ネット１３１の外側に遮蔽カーテン１３２が更に設けられ、図１及び図３に示すように、上記遮蔽カーテン１３２は、選択的に通気ネット１３１の外側を覆ってもよいし、遮蔽カーテン１３２を巻き上げて締め部材１３３によって巻き上げられた遮蔽カーテン１３２を締め、上記遮蔽カーテン１３２に対応する通気ネット１３１を開放状態に維持させてもよい。２つの側板１４に複数の通気ネット１４１が設けられ、また、２つの側板１４の下側に、利用者がペット用品又は間食、飼料などを収納するように、それぞれ複数の物置袋１４２が設けられる。
【００１９】
図３に示すように、上記折り畳み型ペットキャリー装置１０において、上記裏板１１及び底板１２にはそれぞれ補強板１１３、１２２が設けられ、また、２つの側板１４の内部にも補強のための構成が設けられるため、上記裏板１１、底板１２及び２つの側板１４は、剛性を有して曲げにくくなり、ペットの重量を耐えるようになる。また、裏板１１の内面には裏板パッキン１１１が設けられ、底板１２の上面には底板パッキン１２１が設けられ、これによって、ペットを折り畳み型ペットキャリー装置１０の内部に置く際に、比較的に柔らかい裏板パッキン１１１又は底板パッキン１２１に接触させ、ペットの快適性を向上させる。
【００２０】
その中、上記底板１２の上記底板パッキン１２１と対応する位置に、上記底板１２を取除可能に上記底板１２に設けるように、結合部材１２４が設けられる。本実施例において、上記結合部材１２４は、面ファスナー・ストラップであるが、本考案の他の実施例において、上記結合部材１２４は、他のタイプの等価部品、例えば、磁石、ボタン又は紐などのタイプの結合部材に代えてもよい。
【００２１】
図４〜図６に示すように、本考案に係る折り畳み型ペットキャリー装置１０の１つの特徴は、上記折り畳み型ペットキャリー装置１０を収納状態で板状に近似している構成に折り畳むことができ、上記折り畳み型ペットキャリー装置１０の体積が低減され、キャリーが便利で、又は荷物輸送過程において占める体積を低減するという目的を達成することにある。本考案に係る折り畳み型ペットキャリー装置１０を折り畳んで収納できるように、本考案に係る折り畳み型ペットキャリー装置１０は、以下の設計を採用した。上記前面板１３及び頂面部１５は、可撓性を有することができるように、折り曲げ可能なクロス又は板のシート材により作成される。また、２つの側板１４が折り曲げ可能に裏板１１の対向する２つの側辺に接続されるように、２つの上記側板１４の後側辺と裏板１１の対向する２つの側辺との間には可撓性を有する接続部１４４が設けられ、また、２つの上記側板１４と前面板１３、底板１２、及び頂面部１５の２つの側辺との接続処に、それぞれ接続部材１４３が設けられる。本実施例において、２つの上記接続部材１４３はファスナー、ベルクロ・ストラップ又は金属ボタンなどの他のタイプの等価部品である。２つの上記接続部材１４３は、密に閉鎖状態又は開放状態になることができることによって、２つの側板１４の端縁と前面板１３、頂面部１５及び底板１２の２つの側辺とは接続状態又は離間状態となることができる。
【００２２】
なお、上記底板１２は、折り曲げ可能に裏板１１の下端に接続される。本実施例において、上記底板１２は、固定端１２ａと自由端１２ｂを有し、上記底板１２の固定端１２ａが上記裏板１１の底端に接続され、上記底板１２の自由端１２ｂが、上記固定端１２ａの上記裏板１１と反対側の側辺に接続され、上記底板の固定端１２ａと自由端１２ｂとの接続処に区画線１２３が形成され、底板１２が上記区画線１２３の位置から折り曲げ可能になるように、上記補強板１２２に、上記区画線１２３に対応する位置に沿って切断してスリットが形成される。
【００２３】
利用者が本考案に係る折り畳み型ペットキャリー装置１０を折り畳んで収納しようとする場合、図４〜図６に示すような過程によって、上記折り畳み型ペットキャリー装置１０を収納状態に折り畳むことができる。折り畳み型ペットキャリー装置１０を折り畳んで収納する過程において、まず、図４に示すように、利用者はまず開放状態になるように２つの側板１４の端縁の接続部材１４３を引いて、２つの上記側板１４の端縁を底板１２、前面板１３及び頂面部１５の２つの側辺から離れることができる。
【００２４】
そして、図５に示すように、利用者は、２つの側板１４を折り畳み型ペットキャリー装置１０の２つの側辺から開けると共に、底板パッキン１２１を底板１２から除いた後、２つの側板１４を裏板１１の前面又は後面の方向へ折り曲げ、２つの側板１４を裏板１１の前面及び後面に合わせる。特に説明するが、本実施例において、折り畳み型ペットキャリー装置１０が折り畳まれて収納状態になる場合、２つの側板１４の中の１つの側板１４が裏板１１の前面に合わせるように折り畳まれるが、もう１つの側板１４が裏板１１の後面に合わせる。このような設計によって、２つの側板１４が裏板１１の表面に合わせるように折り畳まれる場合、互いに積み重ならないようにすることができる。
【００２５】
しかしながら、他の実施例において、２つの側板１４の折り仕様は、２つの側板を共に裏板１１の同一の面に合わせるように畳むとして設計してもよいが、図５に示す畳み仕様に制限されない。
【００２６】
次に、図６に示すように、２つの側板１４を裏板１１に合わせるように折り曲げた後、利用者は更に、底板１２の自由端を裏板１１の方向へ折り曲げ、底板１２の自由端を裏板１１に合わせた状態にしてから、利用者は、前面板１３及び頂面部１５を裏板１１、底板１２及び側板１４の表面に折り畳むことによって、本考案に係る折り畳み型ペットキャリー装置１０を収納状態に折り畳むことができる。
【００２７】
本考案に係る折り畳み型ペットキャリー装置１０は、手で持ち、両肩で背負い、床面で押し動かし、又はカーに置いて押すなどの多種の方式で使用できるように設計される。それ以外、本考案に係る折り畳み型ペットキャリー装置１０を自動車のシートに固定することもできる。
【００２８】
その中、図１及び図２に示すように、上記頂面部１５の後側又は裏板１１の上側辺に持ちハンドル１５３が接続され、上記持ちハンドル１５３によって、利用者は容易に手で折り畳み型ペットキャリー装置１０を持ち上げることができ、利用者は手持ち仕様で本考案に係る折り畳み型ペットキャリー装置１０を移動することができる。
【００２９】
図１、図３及び図９に示すように、本考案に係る折り畳み型ペットキャリー装置１０は、底板１２に複数のホイール３０が設けられると共に、裏板１１にドローバー装置２０が設けられることによって、利用者は容易に本考案に係る折り畳み型ペットキャリー装置１０を押して床面上を滑動することができる。図３に示すように、本実施例において、上記裏板パッキン１１１と裏板１１の内面との間にギャップを有し、裏板パッキン１１１と裏板１１の内面との間のギャップに上記ドローバー装置２０が設けられる。上記ドローバー装置２０は、金属又はエンジリアニングプラスチックにより作成される多段式伸縮スリーブである伸縮ロッド２１と、伸縮ロッド２１の上端に設けられるハンドル部２２とを含み、伸縮ロッド２１は、裏板１１と平行にして裏板１１の内面に設けられ、上記伸縮ロッド２１は、裏板１１に平行である方向に伸縮できる。上記ハンドル部２２は、伸縮ロッド２１の上端に設けられ、伸縮ロッド２１の伸長又は短縮に従ってその高さ位置を変更することができる。上記ハンドル部２２には制御ボタン２３が設けられ、上記制御ボタン２３は、伸縮ロッド２１内に設置されるクランピング装置（図示せず）と連動し、利用者により上記クランピング装置が解放状態又はロック状態になるように制御し、クランピング装置が解放状態になる場合、伸縮ロッド２１は自由に伸長又は短縮でき、クランピング装置がロック状態になる場合、伸縮ロッド２１を所定の長さに位置決めするように、伸縮ロッド２１に係合できる。
【００３０】
上記伸縮ロッド２１が短縮状態にある場合、上記ドローバー装置２０の上端のハンドル部２２の高さは、折り畳み型ペットキャリー装置１０の頂面部１５の高さよりも低く、これによって、ドローバー装置２０を裏板１１と裏板パッキン１１１との間のギャップに隠蔽することができる。また、折り畳み型ペットキャリー装置１０の頂面部１５には、遮蔽シート１５１及び開口部１５２が設けられる。その中、上記開口部１５２は、その位置が上記ドローバー装置２０に対応し、その幅及び長さは、ドローバー装置２０のハンドル部２２に合う。上記伸縮ロッド２１が伸長状態になる場合、上記伸縮ロッド２１及びハンドル部２２は、開口部１５２から上記頂面部１５の外側に伸長できる。その中、上記遮蔽シート１５１は、その１つの側辺が裏板１１の上側辺に接合され、また、図２に示すように、上記遮蔽シート１５１が選択的に上記開口部１５２をカバーしてもよいし、遮蔽シート１５１をめくり上げて上記開口部１５２を開放状態に成させてもよい。また、遮蔽シート１５１が開口部１５２をカバーする場合、遮蔽シート１５１の端縁が開口部１５２の端縁と互いに接続できるように、上記遮蔽シート１５１には、接続部材又は他の仕様のファスナーを設けてもよい。
【００３１】
図９に示すように、本考案に係る折り畳み型ペットキャリー装置１０は、滑りモードで使用される場合、上記折り畳み型ペットキャリー装置１０の底板１２を床面に向かせ、底板１２での複数のホイール３０によって床面に接触し、上記遮蔽シート１５１を開けてからドローバー装置２０を伸び、伸縮ロッド２１及びハンドル部２２を折り畳み型ペットキャリー装置１０の頂面部１５の外側へ延伸することができる。この状態で、利用者はドローバー装置２０によって折り畳み型ペットキャリー装置１０を押し又は引き動かし、ホイール３０によって床面で滑り、容易に本考案に係る折り畳み型ペットキャリー装置１０を押し又は引き動かすことができる。
【００３２】
図２及び図７に示すように、本考案に係る折り畳み型ペットキャリー装置１０は、上記裏板１１の外側面にサンドイッチ層部１１２が設けられ、上記サンドイッチ層部１１２は、裏板１１の外側面に縫い合わせるクロスからなり、サンドイッチ層部１１２の上端の端縁は裏板１１と縫い合わせずサンドイッチ層開口１１２１が形成され、サンドイッチ層部１１２における下側端縁に近い位置にサンドイッチ層縫い目１１２２が設けられ、上記サンドイッチ層縫い目１１２２にはファスナー又は他の等価の接続部材が設けられ、サンドイッチ層縫い目１１２２のファスナーを開けると、サンドイッチ層縫い目１１２２が開放状態となる。
【００３３】
図２及び図８に示すように、本考案に係る折り畳み型ペットキャリー装置１０の裏面には、２つのサスペンダー１６、２つのホルダーシート１７、及び汚れ防止シート１８が設けられる。その中、２つのサスペンダー１６は、その上端が裏板１１の上側辺に接続され、その下端にはそれぞれサスペンダーフック１６１が設けられ、また、裏板下側辺の両側位置に、それぞれ２つのサスペンダーリング１６２が設けられる。図２に示すように、２つのサスペンダー１６の非使用状態では、２つの上記サスペンダー１６のサスペンダーフック１６１は、サスペンダーリング１６２に接続されず、２つのサスペンダー１６は、サンドイッチ層開口１１２１からサンドイッチ層部１１２と裏板１１の外側面との間のギャップに挿入できる。図８に示すように、本考案に係る折り畳み型ペットキャリー装置１０が背負モードで使用される状態では、利用者は、２つのサスペンダー１６をサンドイッチ層部１１２から引き出し、２つのサスペンダーフック１６１をサスペンダーリング１６２に接続し、２つのサスペンダー１６の下端を裏板１１の下側辺の両側に接続することができ、これによって、利用者はその両肩が２つのサスペンダー１６を通過し、折り畳み型ペットキャリー装置１０を利用者の両肩に負うことができる。
【００３４】
図７に示すように、本考案に係る折り畳み型ペットキャリー装置１０は、２つのホルダーシート１７を更に有し、２つの上記ホルダーシート１７は、可撓性を有するシート状の材料（例えば、クロス、粘着シート又は複合板シート材）からなり、２つの上記ホルダーシート１７における上記裏板１１に近づく一方の側は固定端であり、２つの上記ホルダーシート１７の固定端は、ソーイングによって裏板１１の対向する２つ長辺の端縁に接続され、２つの上記ホルダーシート１７における裏板１１と反対側の一方の側辺は自由端であり、２つの上記ホルダーシート１７の自由端と上記裏板１１との間にホルダーシートファスニング部１７１がそれぞれ設けられ、２つの上記ホルダーシートファスニング部１７１によって、２つのホルダーシート１７の自由端は、選択的に裏板１１の裏面に結合されてもよいし、裏板１１の裏面から剥がされて活動可能な状態になってもよい。
【００３５】
２つの上記ホルダーシート１７１の主な機能は、本考案に係る折り畳み型ペットキャリー装置１０を便利に使用して押すように、本考案に係る折り畳み型ペットキャリー装置１０をカー４０上に固定することにある。
【００３６】
図１０及び図１１に示すように、本考案に係る折り畳み型ペットキャリー装置１０は、カー４０と結合して使用されることができる。上記カー４０は、折畳可能に一体に接続される後フレーム４１と前フレーム４２を含み、その中、前フレーム４２及び後フレーム４１の下端にそれぞれ複数のカーホイール４３が設けられ、後フレーム４１の上端がピボット接続によって前フレーム４２の中段位置に接続される。前フレーム４２の上端に、カーホイール４３と反対側の方向へ伸ばしてカーグリップ４４が形成され、前フレーム４２と後フレーム４１における利用者の腰に近づく高さ位置の処に水平枠４５、及び水平枠４５の下方にある物置カゴ４６が接続される。その中、水平枠４５は、２つの互いに平行である側ロッド４５１を有する。
【００３７】
上記水平枠４５における２つの側ロッド４５１の間のピッチは、折り畳み型ペットキャリー装置１０の裏板１１の対向する２つの長辺の幅以下であり、これによって、折り畳み型ペットキャリー装置１０の裏板１１を水平枠４５の上方に置き、水平枠４５により支持することができる。２つの上記ホルダーシート１７の設置位置は、裏板１１における２つの側ロッド４５１に対応する２つの側辺にあるため、本考案に係る折り畳み型ペットキャリー装置１０を上記カーモードで使用する場合、裏板１１を下にして上記折り畳み型ペットキャリー装置１０をカー４０の水平枠４５に置き、裏板１１における対向する２つの長辺に設けられる２つのホルダーシート１７を剥がして水平枠４５の２つの側ロッド４５１を覆い、ホルダーシート１７の自由端を上記ホルダーシートファスニング部１７１上にスティッキングし、２つのホルダーシート１７によって２つの側ロッド４５１を締めることができる。これによって、折り畳み型ペットキャリー装置１０を水平枠４５上に固定し、利用者がカー４０によって折り畳み型ペットキャリー装置１０を手軽に押して所々へ移動することができる。
【００３８】
図７及び図１２に示すように、上記汚れ防止シート１８は、防水クロス、織物又は粘着シート（例えば、防水布又は不織布）により作成され、汚れ防止シート１８の一端は固定端であり、上記汚れ防止シート１８の固定端は、ソーイング又はスティッキングによって折り畳み型ペットキャリー装置１０の裏板１１における上記サンドイッチ層縫い目１１２２に近づく位置に接続される。図４に示すように、汚れ防止シート１８の未使用状態で、汚れ防止シート１８をサンドイッチ層縫い目１１２２からサンドイッチ層部１１２と裏板１１との間のギャップに置き、汚れ防止シート１８をサンドイッチ層部１１２内に隠蔽することができる。サンドイッチ層縫い目１１２２が開放されると、汚れ防止シート１８の自由端をサンドイッチ層縫い目１１２２から引き出すことができる。また、図１２に示すように、上記汚れ防止シート１８の使用状態で、汚れ防止シート１８の自由端をサンドイッチ層縫い目１１２２から引き出して底板１２後半部の外側面、及び上記裏板１１に近づく２つのホイール３０の外側を覆うことができ、そして、汚れ防止シート１８の自由端と底板１２の底面との間に２つの汚れ防止シートファスニング部１８１が設けられるため、上記汚れ防止シートファスニング部１８１によって汚れ防止シート１８の自由端を底板１２の底面に固定する。
【００３９】
図１２及び図１３に示すように、上記車内モードで本考案に係る折り畳み型ペットキャリー装置１０を使用する状態で、裏板１１を自動車シート５０の座布団に合わせると共に、底板１２を自動車シート５０の背もたれへ向かうように折り畳み型ペットキャリー装置１０を自動車シート５０にセットすることができる。また、自動車運転の時に折り畳み型ペットキャリー装置１０が自動車シート５０から滑り落ちることを防止するために、折り畳み型ペットキャリー装置１０の底板１２を更に安全シート接続ベルト１９によって自動車シート５０の安全シートスナップリング５１に接続することができる。車内モードで使用される場合、利用者は、上記汚れ防止シート１８をサンドイッチ層縫い目１１２２から引き出し、汚れ防止シート１８で底板１２及びホイール３０を覆うことができるため、ホイール３０及び底板１２に付けられた塵によって自動車シートが汚染されることを回避できる。
【００４０】
図１３に示すように、上記安全シート接続ベルト１９は、接続ベルト１９２及び２つの分岐ベルト１９４を含み、接続ベルト１９２の一端は、２つの分岐ベルト１９４の一端と共に接続されてＹ字形の配列を形成し、接続ベルト１９２における２つの分岐ベルト１９４と反対側の一端に接続ベルトカラビナ１９３が設けられ、上記接続ベルトカラビナ１９３は、接続ベルト１９２を折り畳み型ペットキャリー装置１０の底板１２に接続するように、折り畳み型ペットキャリー装置１０の底板１２の底面に設けられる底部スナップリング１９１に接続されることができる。２つの分岐ベルト１９４における接続ベルト１９２と反対側の一端に、それぞれフック部材１９５が設けられ、安全シート接続ベルト１９によって折り畳み型ペットキャリー装置１０を自動車シート５０に位置決めすることができるように、２つのフック部材１９５によって自動車シート５０における安全シートスナップリング５１（例えば、ＩＳＯＦＩＸ規格に準ずるスナップリング）に掛けることができる。
【００４１】
総じて言えば、本考案に係る折り畳み型ペットキャリー装置の有利な効果は、以下の通りである。
【００４２】
１）本考案に係る折り畳み型ペットキャリー装置１０は、多種の変更可能な取扱モードを有し、利用者は異なる条件に応じて使用モードを選択することができる。例えば、公共交通機関を搭乗しようとする場合、背負モード又は滑りモードを選択して上記折り畳み型ペットキャリー装置１０を取り扱うことができる。ペットをキャリーして広いスペースを有する且つカー４０の移動に好適である場所へ行きたい場合、上記カーモードで折り畳み型ペットキャリー装置１０をカー４０に結合して使用することができる。車両で長距離を輸送しようとする場合、車内モードで取り扱うことができる。
【００４３】
２）本考案に係る折り畳み型ペットキャリー装置１０のサスペンダー１６、ドローバー装置２０、汚れ防止シート１８及び安全シート接続ベルト１９などの部品は、使用しない場合に、折り畳み型ペットキャリー装置１０の内部に収納又は隠蔽することができるため、本考案に係る折り畳み型ペットキャリー装置１０を異なる取扱モードで使用する場合、異なるモードで使用される部品が互いに干渉することはない。例えば、２つの上記サスペンダー１６は、サンドイッチ層部１１２に収納することができるため、滑りモード又はカーモードで使用される状態で、２つのサスペンダー１６がサンドイッチ層部１１２の外側に露出することはない。また、例えば、汚れ防止シート１８は、サンドイッチ層部１１２に収納することができ、安全シート接続ベルト１９の接続ベルト１９２は、使用しない時に外してサンドイッチ層部１１２又は側板１４上での複数の物置袋１４２に収納することができるため、他の使用モードに干渉することを回避できる。
【００４４】
３）本考案に係る折り畳み型ペットキャリー装置１０は、折畳可能な機能を有し、使用しない時に、利用者は、折り畳み型ペットキャリー装置１０を平板に近似している形状に容易に収めて畳むことができ、その収納によるスペースを占めず便利に輸送することができる。
【００４５】
上述したのは本考案の好ましい実施可能な実施例に過ぎず、本考案の保護範囲を限定するためのものではなく、本考案の明細書と添付図面の内容に基づき為された均等の変形と変更は、全て本考案の請求項の保護範囲に属するものとする。
【符号の説明】
【００４６】
１０    折り畳み型ペットキャリー装置
１１    裏板
１１１    裏板パッキン
１１２    サンドイッチ層部
１１２１    サンドイッチ層開口
１１２２    サンドイッチ層縫い目
１１３    補強板
１２    底板
１２ａ    固定端
１２ｂ    自由端
１２１    底板パッキン
１２２    補強板
１２３    区画線
１２４    結合部材
１３    前面板
１３１    通気ネット
１３２    遮蔽カーテン
１３３    締め部材
１４    側板
１４１    通気ネット
１４２    物置袋
１４３    接続部材
１４４    接続部
１５    頂面部
１５１    遮蔽シート
１５２    開口部
１５３    持ちハンドル
１６    サスペンダー
１６１    サスペンダーフック
１６２    サスペンダーリング
１７    ホルダーシート
１７１    ホルダーシートファスニング部
１８    汚れ防止シート
１８１    汚れ防止シートファスニング部
１９    安全シート接続ベルト
１９１    底部スナップリング
１９２    接続ベルト
１９３    接続ベルトリング
１９４    分岐ベルト
１９５    フック部材
２０    ドローバー装置
２１    伸縮ロッド
２２    ハンドル部
２３    制御ボタン
３０    ホイール
４０    カー
４１    後フレーム
４２    前フレーム
４３    カーホイール
４４    カーグリップ
４５    水平枠
４５１    側ロッド
４６    物置カゴ
５０    自動車シート
５１    安全シートスナップリング
【図１】
0003219943.tif 000003
【図２】
0003219943.tif 000004
【図３】
0003219943.tif 000005
【図４】
0003219943.tif 000006
【図５】
0003219943.tif 000007
【図６】
0003219943.tif 000008
【図７】
0003219943.tif 000009
【図８】
0003219943.tif 000010
【図９】
0003219943.tif 000011
【図１０】
0003219943.tif 000012
【図１１】
0003219943.tif 000013
【図１２】
0003219943.tif 000014
【図１３】
0003219943.tif 000015